(57)【特許請求の範囲】
【請求項１】
セレクトレバーに対する操作力を伝達する伝達体と、
トランスミッションケースの外側に配置されると共に、前記伝達体が連結され前記セレクトレバーに対する操作に応じて回動されるレンジ切換用レバーとを備え、
前記レンジ切換用レバーが中心部を支点として回動される円板状に形成された
車両用変速機。
【請求項２】
前記レンジ切換用レバーの外周部に前記伝達体が連結された
請求項１に記載の車両用変速機。
【請求項３】
前記レンジ切換用レバーに前記伝達体の一部が位置される凹部が形成された
請求項１又は請求項２に記載の車両用変速機。
【請求項４】
前記レンジ切換用レバーの回動位置に応じてレンジを切り換えるインヒビタースイッチを備え、
前記レンジ切換用レバーが前記インヒビタースイッチの全体を側方から覆う大きさに形成された
請求項１、請求項２又は請求項３に記載の車両用変速機。
【発明の詳細な説明】
【技術分野】
【０００１】
本発明は、セレクトレバーに対する操作によって回動されるレンジ切換用レバーを備えた車両用変速機についての技術分野に関する。
【先行技術文献】
【特許文献】
【０００２】
【特許文献１】特開平９−２５７１１９号公報
【特許文献２】実開昭６２−６８８７９号公報
【背景技術】
【０００３】
自動車等の車両には、セレクトレバーに対する操作に応じて変速等を行うための変速機、例えば、自動変速機が設けられているものがある。このような変速機はトランスミッションケースの内外に所要の各部が配置されて成り、トランスミッションケースの側面側（外面側）にはレンジ切換機構を有している（例えば、特許文献１参照）。
【０００４】
レンジ切換機構はケーブルやロッド等の伝達体とセレクトレバーに対する操作に応じて回動されるレンジ切換用レバーとレンジ切換用レバーの回動位置に応じてレンジを切り換えるインヒビタースイッチとを有している。
【０００５】
セレクトレバーが操作されると、セレクトレバーに対する操作力が伝達体を介してレンジ切換用レバーに伝達され、レンジ切換用レバーがセレクトレバーの操作に応じて回動され、インヒビタースイッチからレンジ切換用レバーの回動位置に応じた信号が出力されて変速や前進後退の制御が行われる。また、セレクトレバーがパーキングレンジ（Ｐ）又はニュートラルレンジ（Ｎ）の状態に操作されると、インヒビタースイッチ内の電気回路がオンになりエンジンの始動が可能な状態にされる。
【０００６】
このようなレンジ切換機構は、上記したように、トランスミッションケースの外側に配置されており、特許文献１に記載されたように、レンジ切換用レバーが略上下に延びるアーム状に形成され、ケーブル等の伝達体が略前後に延びる状態で位置され、伝達体の後端部がレンジ切換用レバーに連結された構成にされている。従って、レンジ切換用レバーと伝達体は略直交する状態で位置されている。
【０００７】
ところで、車両は寒冷地においても走行される。従って、トランスミッションケースの外側に配置されたレンジ切換機構には、車両の雪道や残雪状態の融雪道における走行時に跳ね上げられた雪が付着し、付着した雪がインヒビタースイッチの側面において凝固して滞留するおそれがある。
【０００８】
このようなインヒビタースイッチの側面における雪の滞留が生じたときに、特許文献１に記載された構造のようにインヒビタースイッチの側方においてレンジ切換用レバーと伝達体が略直交する状態で位置されている場合に、滞留した雪がレンジ切換用レバーの回動軌跡に存在していると、レンジ切換用レバーの回動動作が阻害され、レンジ切換機構の適正な動作状態を確保することができなくなるおそれがある。
【０００９】
そこで、このような雪の滞留を防止してレンジ切換機構の適正な動作状態を確保するために、防雪カバーが設けられた車両がある（例えば、特許文献２参照）。
【００１０】
特許文献２に記載された車両にあっては、オートマチック操作リンク系を下方から覆う防雪カバーが設けられており、防雪カバーによってレンジ切換機構に対する雪の滞留が防止されている。
【発明の概要】
【発明が解決しようとする課題】
【００１１】
ところが、特許文献２に記載された車両にあっては、防雪カバーが設けられると共に防雪カバーの取付作業も必要である分、車両の製造コストが高くなると言う不都合を生じてしまう。
【００１２】
そこで、本発明は、上記した問題点を克服し、製造コストの高騰を来すことなくレンジ切換用レバーの適正な動作状態を確保することを目的とする。
【課題を解決するための手段】
【００１３】
第１に、本発明に係る変速機は、セレクトレバーに対する操作力を伝達する伝達体と、トランスミッションケースの外側に配置されると共に、前記伝達体が連結され前記セレクトレバーに対する操作に応じて回動されるレンジ切換用レバーとを備え、前記レンジ切換用レバーが中心部を支点として回動される円板状に形成されたものである。
【００１４】
これにより、セレクトレバーに対する操作に応じて円板状のレンジ切換用レバーが回動されるため、レンジ切換用レバーの回動軌跡上に雪が滞留することがない。
【００１５】
第２に、上記した本発明に係る変速機においては、前記レンジ切換用レバーの外周部に前記伝達体が連結されることが望ましい。
【００１６】
これにより、レンジ切換用レバーの回動中心からレンジ切換用レバーにおける伝達体との連結点までの距離が大きくなる。
【００１７】
第３に、上記した本発明に係る変速機においては、前記レンジ切換用レバーに前記伝達体の一部が位置される凹部が形成されることが望ましい。
【００１８】
これにより、レンジ切換用レバーと伝達体の干渉が回避される。
【００１９】
第４に、上記した本発明に係る変速機においては、前記レンジ切換用レバーの回動位置に応じてレンジを切り換えるインヒビタースイッチを備え、前記レンジ切換用レバーが前記インヒビタースイッチの全体を側方から覆う大きさに形成されることが望ましい。
【００２０】
これにより、レンジ切換用レバーがインヒビタースイッチの側面に対する防雪機能を有する。
【発明の効果】
【００２１】
本発明によれば、セレクトレバーに対する操作に応じて円板状のレンジ切換用レバーが回動されるため、レンジ切換用レバーの回動軌跡上に雪が滞留することがなく、防雪カバーを設けることなくレンジ切換用レバーの動作の阻害を防止することができ、製造コストの高騰を来すことなくレンジ切換用レバーの適正な動作状態を確保することができる。
【図面の簡単な説明】
【００２２】
【図１】図２乃至図７と共に本発明車両用変速機の実施の形態を示すものであり、本図は、車両における動力伝達機構等の概略構成を示す図である。
【図２】レンジ切換機構等を示す図である。
【図３】レンジ切換用レバー等を示す正面図である。
【図４】レンジ切換用レバーが回動された状態を示すレンジ切換機構等の図である。
【図５】凹部が形成されたレンジ切換用レバー等を示す側面図である。
【図６】凹部が形成されたレンジ切換用レバー等を示す正面図である。
【図７】インヒビタースイッチの全体がレンジ切換用レバーによって側方から覆われる構成を示す側面図である。
【発明を実施するための形態】
【００２３】
以下に、本発明車両用変速機を実施するための形態について添付図面を参照して説明する。
【００２４】
＜動力伝達機構等の概略構成＞
先ず、変速機を有する車両に設けられた動力伝達機構等の概略構成を説明する（図１参照）。
【００２５】
車両１００は、例えば、４輪駆動（４ＷＤ）タイプであり、前端側にエンジン（内燃機関）１０１を有し、エンジン１０１には図示しないトルクコンバーターや摩擦クラッチ等によって変速機１が接続されている。尚、車両１００がＥＶ（Electric Vehicle：電気自動車）やＨＥＶ（Hybrid Electric Vehicle：ハイブリッド電気自動車）やＰＨＥＶ（Plug-in Hybrid Electric Vehicle：プラグインハイブリッド電気自動車）等である場合には、エンジン１０１に代えて、又は、エンジン１０１とともにモーターが設けられている。また、車両１００は２輪駆動（２ＷＤ）タイプであってもよい。
【００２６】
変速機（トランスミッション）１にはトランスミッションケース２の内部に遊星歯車機構１０２や電子制御カップリング１０３等が設けられている。変速機１にはトランスミッションケース２の外面（側面）側にレンジ切換機構３が設けられている。尚、変速機１の内部機構として無段変速機（Continuously Variable Transmission：ＣＶＴ）が用いられていてもよい。また、変速機１として自動変速機が用いられていてもよく、手動変速機が用いられていてもよい。
【００２７】
変速機１にはフロントデファレンシャル１０４が接続されている。フロントデファレンシャル１０４には左右の前輪駆動軸１０５、１０５が連結され、前輪駆動軸１０５、１０５にはそれぞれ前輪１０６、１０６が連結されている。従って、エンジン１０１の駆動力はフロントデファレンシャル１０４及び前輪駆動軸１０５、１０５を介して前輪１０６、１０６に伝達される。
【００２８】
車両１００のコーナーリング時にはフロントデファレンシャル１０４によって前輪１０６、１０６の左右の回転数の差が吸収され、エンジン１０１から前輪１０６、１０６に同じトルクが伝達される。
【００２９】
変速機１の後端部にはプロペラシャフト１０７が連結されている。エンジン１０１から変速機１に伝達される駆動力は変速機１からプロペラシャフト１０７に伝達されてプロペラシャフト１０７が回転される。
【００３０】
プロペラシャフト１０７は前後に延びる状態で配置され、プロペラシャフト１０７の後端部にはリアデファレンシャル１０８が接続されている。リアデファレンシャル１０８には左右の後輪駆動軸１０９、１０９が連結され、後輪駆動軸１０９、１０９にはそれぞれ後輪１１０、１１０が連結されている。従って、プロペラシャフト１０７に伝達されたエンジン１０１の駆動力はリアデファレンシャル１０８及び後輪駆動軸１０９、１０９を介して後輪１１０、１１０に伝達される。
【００３１】
車両１００のコーナーリング時にはリアデファレンシャル１０８によって後輪１１０、１１０の左右の回転数の差が吸収され、エンジン１０１から後輪１１０、１１０に同じトルクが伝達される。
【００３２】
＜レンジ切換機構等の構成＞
次に、変速機１に設けられたレンジ切換機構３の具体的な構成及びレンジ切換機構３に対して操作力を付与するセレクトレバーについて説明する（図２乃至図４参照）。
【００３３】
レンジ切換機構３は、上記したように、トランスミッションケース２の外面（側面）側に配置されている（図２参照）。レンジ切換機構３はレンジ切換用レバー４とインヒビタースイッチ５と伝達体６を有している。
【００３４】
レンジ切換用レバー４は、例えば、左右方向を向く円板状に形成され、トランスミッションケース２の側面に回動支点とされたシャフト７を介して回動自在に支持されている（図２及び図３参照）。シャフト７はレンジ切換用レバー４の中心部に連結され、レンジ切換用レバー４は中心部を支点として回動される。レンジ切換用レバー４の外側の側面における外周部には支持軸部４ａが設けられている。
【００３５】
インヒビタースイッチ５はトランスミッションケース２の側面とレンジ切換用レバー４の間に配置されている（図２参照）。インヒビタースイッチ５はレンジ切換用レバー４の回動によって作動され、レンジ切換用レバー４の回動位置に応じてレンジを切り換える機能を有している。従って、インヒビタースイッチ５からレンジ切換用レバー４の回動位置に応じた信号が出力されると、変速や前進後退の制御が行われる。
【００３６】
伝達体６はケーブルやロッド等であり、伝達体６によってセレクトレバー２００とレンジ切換用レバー４が連結されている。伝達体６は一端部（後端部）が円筒状の軸支持部６ａとして設けられ、軸支持部６ａがレンジ切換用レバー４の支持軸部４ａに回動可能な状態で連結されている（図２及び図３参照）。伝達体６の後端側の部分にはゴム製や樹脂製のブーツ８が取り付けられている。
【００３７】
伝達体６はブーツ８の前側の部分がブラケット９によってトランスミッションケース２の側面に取り付けられている（図２参照）。伝達体６はブラケット９によって外方から押さえられ、ブラケット９がボルト等によってトランスミッションケース２に結合されることによりトランスミッションケース２に取り付けられている。
【００３８】
セレクトレバー２００は運転者によって操作され、車両１００の変速や前進後退を行うための操作部である。セレクトレバー２００に対する操作によって、例えば、パーキングレンジ（Ｐ）、リバースレンジ（Ｒ）、ニュートラルレンジ（Ｎ）、ドライブレンジ（Ｄ）、セカンドレンジ（２）、ファーストレンジ（１）等のレンジの切換が行われる。
【００３９】
セレクトレバー２００が操作されると、セレクトレバー２００に対する操作力が伝達体６を介してレンジ切換用レバー４に伝達され、セレクトレバー２００に対する操作に応じてレンジ切換用レバー４が回動される（図２及び図４参照）。レンジ切換用レバー４が回動されると、レンジ切換用レバー４の回動位置に応じてインヒビタースイッチ５によってレンジが切り換えられ、変速や前進後退の制御が行われる。また、セレクトレバー２００がパーキングレンジ（Ｐ）又はニュートラルレンジ（Ｎ）に操作されると、インヒビタースイッチ５内の電気回路がオンになりエンジンの始動が可能な状態にされる。
【００４０】
上記のように構成された変速機１を有する車両１００の雪道や残雪状態の融雪道における走行時には、雪がレンジ切換機構３に向けて跳ね上げられ、跳ね上げられて付着された雪がインヒビタースイッチ５のレンジ切換用レバー４側の側面５ａにおいて凝固して滞留する可能性がある。
【００４１】
このときインヒビタースイッチ５は一部を除いてレンジ切換用レバー４によって側方から覆われているため、インヒビタースイッチ５の側面５ａにはレンジ切換用レバー４によって覆われていない部分５ｂ、５ｃにおいて雪が凝固して滞留し易い。特に、インヒビタースイッチ５の近傍にブーツ８が位置されており、ブーツ８の上側に雪が付着されたときに、この付着された雪がインヒビタースイッチ５の部分５ｂにも付着されて凝固し滞留し易い。
【００４２】
上記のようなインヒビタースイッチ５の側面５ａに雪が滞留された状態において、セレクトレバー２００に対する操作によってレンジ切換用レバー４が動作されるときに、レンジ切換用レバー４が円板状に形成され中心部を支点として回動されるため、レンジ切換用レバー４が部分５ｂ、５ｃに滞留されている雪に干渉することがない。
【００４３】
また、レンジ切換用レバー４が円板状に形成されているため、跳ね上げられた雪がレンジ切換用レバー４に付着された場合においても、雪が円弧状に形成された外周４ｂにおいて滑り落ち易くなっている。
【００４４】
従って、跳ね上げられた雪のレンジ切換用レバー４の側面５ａへの滞留が抑制される。
【００４５】
＜まとめ＞
以上に記載した通り、変速機１にあっては、セレクトレバー２００に対する操作力を伝達する伝達体６と、伝達体６が連結されセレクトレバー２００に対する操作に応じて回動されるレンジ切換用レバー４とが設けられ、レンジ切換用レバー４が中心部を支点として回動される円板状に形成されている。
【００４６】
従って、セレクトレバー２００に対する操作に応じて円板状のレンジ切換用レバー４が回動されるため、レンジ切換用レバー４の移動軌跡（回動軌跡）上に雪が滞留することがなく、防雪カバーを設けることなくレンジ切換用レバー４の動作の阻害を防止することができ、製造コストの高騰を来すことなくレンジ切換用レバー４の適正な動作状態を確保することができる。
【００４７】
また、防雪カバーを設けることなくレンジ切換用レバー４の適正な動作状態を確保することができるため、車両１００の軽量化を確保した上でレンジ切換用レバー４の適正な動作状態を確保することができる。
【００４８】
さらに、伝達体６はレンジ切換用レバー４の外周部に連結されているため、回動中心であるシャフト７からレンジ切換用レバー４における伝達体６との連結点である支持軸部４ａまでの距離が大きくなり、レンジ切換用レバー４を最小限の大きさにした上でレンジ切換用レバー４の回動角度を大きくすることができる。
【００４９】
さらにまた、伝達体６がレンジ切換用レバー４の外周部に連結されることにより、レンジ切換用レバー４と伝達体６やブーツ８との接触を回避し易い構成になり、レンジ切換機構３の一層円滑な動作状態を確保することができる。
【００５０】
＜他の例＞
上記には、平板状に形成されたレンジ切換用レバー４の例を示したが、例えば、レンジ切換用レバー４の一部に凹部４ｃが形成され、凹部４ｃに伝達体６の一部やブーツ８の一部が位置されるように構成することも可能である（図５及び図６参照）。
【００５１】
レンジ切換用レバー４に凹部４ｃが形成されることによりレンジ切換用レバー４と伝達体６やブーツ８との干渉が回避され、伝達体６とブーツ８をレンジ切換用レバー４に非接触の状態で位置させることができ、レンジ切換用レバー４と伝達体６やブーツ８の接触が回避され、レンジ切換用レバー４の円滑な回動動作を確保することができる。
【００５２】
また、上記には、円板状に形成されたレンジ切換用レバー４によってインヒビタースイッチ５の一部を除いた部分が側方から覆われている構成の例を示したが、レンジ切換用レバー４によってインヒビタースイッチ５の全体が側方から覆われるようにレンジ切換用レバー４の大きさを大きくする構成にすることも可能である（図７参照）。
【００５３】
このようにレンジ切換用レバー４によってインヒビタースイッチ５の全体が側方から覆われる構成にすることにより、インヒビタースイッチ５とレンジ切換用レバー４が最も近接して位置されてインヒビタースイッチ５に雪が滞留し難くなるため、レンジ切換用レバー４によってインヒビタースイッチ５の全体が側方から覆われる構成はレンジ切換用レバー４に関する雪対策として極めて有効である。従って、レンジ切換用レバー４によってインヒビタースイッチ５の全体が側方から覆われる構成にすることにより、インヒビタースイッチ５に雪が滞留し難くした上でレンジ切換用レバー４の適正な動作状態を確保することができる。
【００５４】
尚、レンジ切換用レバー４によってインヒビタースイッチ５の全体が側方から覆われる構成にした場合においても、伝達体６がレンジ切換用レバー４の外周部に連結される構成にしたり、レンジ切換用レバー４の一部に伝達体６の一部やブーツ８の一部との干渉を回避するための凹部４ｃが形成される構成にすることも可能である。
【符号の説明】
【００５５】
１…変速機、４…レンジ切換用レバー、４ａ…支持軸部（連結点）、４ｂ…外周、４ｃ…凹部、５…インヒビタースイッチ、６…伝達体、７…シャフト（回動中心）、２００…セレクトレバー
【図１】
0006687427.tif 000002
【図２】
0006687427.tif 000003
【図３】
0006687427.tif 000004
【図４】
0006687427.tif 000005
【図５】
0006687427.tif 000006
【図６】
0006687427.tif 000007
【図７】
0006687427.tif 000008